(57)【要約】【課題】本発明では、既存の設備に容易に設置することが可能な磁力応用殺菌装置を提供する。【解決手段】  複数の磁石を２つの領域に分けて支持する支持部と、この領域間の距離を調整することが可能な調整部を設ける。そして、磁石が設置されている領域間に距離を調整部で調整し、水や油が流れる管に設置することにより、当該領域間を流れる水や油を殺菌する。すなわち、磁石によって形成されている磁界の間を水や油を通過させることにより、当該水や油に過酸化水素を発生させて殺菌を行うと共に、過酸化水素を含有する水や油の生成を行う。  【選択図】  図２
2006035034.tif 000002
【特許請求の範囲】
【請求項１】
複数の磁石と、
前記磁石を支持する支持部と、
前記支持部の幅を調整する調整部と
を具備し、
前記磁石は、複数の領域に配置され、該領域間で磁界を形成する
ことを特徴とする磁力応用殺菌装置。
【請求項２】
前記磁石は、２０００ガウス以上であることを特徴とする請求項１記載の磁力応用殺菌装置。
【請求項３】
水を流出する流出口又は流入口に設置することを特徴とする請求項１又は２記載の磁力応用殺菌装置。
【請求項４】
前記流出口は、池に水を流出するための流出口であることを特徴とする請求項３記載の磁力応用殺菌装置。
【請求項５】
前記流入口は、池の水を取り込んで循環させるための流入口であることを特徴とする請求項３記載の磁力応用殺菌装置。
【請求項６】
油を循環供給する循環供給装置の流出口に設置することを特徴とする請求項１又は２記載の磁力応用殺菌装置。
【請求項７】
油を循環供給するための油溜に設置することを特徴とする請求項１又は２記載の磁力応用殺菌装置。
【発明の詳細な説明】
【技術分野】
【０００１】
本発明は、磁力応用殺菌装置に関し、特に、水や油などの殺菌を行うことが可能な磁力応用殺菌装置に関する。
【背景技術】
【０００２】
水処理の方法として、過酸化水素を水に直接加えて殺菌する方法が提案されている（例えば、特許文献１参照）。
【０００３】
また、鉱石や炭、セラミックスなどに水を衝突させて水の浄化や殺菌を行う方法もあり、この方法では、次のような原理で水の浄化や殺菌を行っている。
【０００４】
まず、水が鉱石などに衝突すると、鉱石に含まれているＮａやＫ、Ｃａ、Ｍｇなどの金属(Ｍ)がイオン化して電子(ｅ-)を発生させる。
Ｍ → Ｍ+ ＋ ｅ-  （Ｍ：Ｎａ、Ｋなど）
Ｍ → Ｍ++ ＋ ２ｅ-  （Ｍ：Ｃａ、Ｍｇなど）
【０００５】
一方、水中には、酸素が溶け込んでおり（溶存酸素）、電子(ｅ-)と反応していわゆる活性酸素であるスーパーオキサイド・アニオン(Ｏ2-)を生成する。
Ｏ2 ＋ ｅ- → Ｏ2-
【０００６】
水中では、通常、水の一部が解離して水素イオンが発生しており、この水素イオンとスーパーオキサイド・アニオンとが反応して、過酸化水素(Ｈ2Ｏ2)を生成し、この過酸化水素の酸化力を用いて水中の細菌やウイルスを殺菌する。
Ｈ2Ｏ → Ｈ+ ＋ ＯＨ-
２Ｈ+ ＋ Ｏ2- → Ｈ2Ｏ2
【特許文献１】特開２００４−６６０６１号公報
【発明の開示】
【発明が解決しようとする課題】
【０００７】
しかし、この方法では、殺菌を行う水を鉱石などに直接接触させる必要があり、既存の設備に容易に処理装置を取り付けることは困難であった。
【０００８】
また、油など、水分の含まれている割合が少ないものでは、鉱石に直接接触させたとしても、十分に殺菌を行うことはできなかった。
【０００９】
ところで、水や油には、Ｎａ、Ｋ、Ｃａ、Ｍｇなどの金属が含まれており、磁界を通過する際に電磁誘導により電子(ｅ-)が発生する。
【００１０】
そこで、本発明では、既存の設備に容易に設置することが可能な磁力応用殺菌装置を提供することを目的とする。
【課題を解決するための手段】
【００１１】
本発明に係る磁力応用殺菌装置では、複数の磁石と、前記磁石を支持する支持部と、前記支持部の幅を調整する調整部とを具備し、前記磁石は、複数の領域に配置され、該領域間で磁界を形成する。
【００１２】
この構成では、磁石が設置されている領域間を水や油が通過することにより、当該水や油に過酸化水素が発生し、殺菌を行うことができる。
【００１３】
そして、前記磁石は、２０００ガウス以上であることが好ましい。
【００１４】
また、本発明に係る磁力応用殺菌装置では、水を流出する流出口又は流入口に設置する。
【００１５】
ここで、前記流出口は、池に水を流出する流出口である。
【００１６】
また、前記流入口は、池の水を取り込んで循環させるための流入口である
また、本発明に係る磁力応用殺菌装置では、油を循環供給する循環供給装置の流出口に設置する。
【００１７】
また、本発明に係る磁力応用殺菌装置では、油を循環供給するための油溜に設置する。
【発明の効果】
【００１８】
本発明では、水や油などに含まれている細菌やウイルスの殺菌を行うことができる。
【発明を実施するための最良の形態】
【００１９】
以下、本発明に係る磁力応用殺菌装置を実施するための最良の形態について、添付図面を参照して詳細に説明する。
【００２０】
図１は、本発明に係る磁力応用殺菌装置の構成の一例を示す概略構成図である。なお、図１(ａ)は、磁力応用殺菌装置の前面図であり、図１(ｂ)は、図１(ａ)のＡＡ断面図である。
【００２１】
同図に示すように、磁力応用殺菌装置１０は、磁石１１と、磁石１１を支持する支持部１２と、支持部１２の幅を調整して磁力応用殺菌装置１０を水道管や排水管など設置する調節部１３とで構成されている。
【００２２】
磁石１１は、フェライト磁石、アルニコ磁石、サマリウムコバルト磁石、ネオジム磁石など、任意の磁石を用いることが可能であり、好ましくは、熱にさらされることよって減少した磁力の回復が可能な温度範囲である可逆範囲が管を流れる水や油などの温度よりも高い磁石を用いる。また、例えば、鉄・ネオジウム磁石など、磁束密度の高い磁石が好ましく、さらに好ましくは、２０００ガウス以上の磁石を用いる。
【００２３】
そして、磁石は、相対する２つの領域（１４、１５）に配置され、この領域間で磁界を形成している。
【００２４】
図２に、磁力応用殺菌装置を水道管や排水管などの管２０に設置した場合の一例を示す該略図である。なお、図２(ａ)は、管２０に磁力応用殺菌装置１０を取り付けた場合の側面図であり、図２(ｂ)は、図２(ａ)のＢＢ断面図である。
【００２５】
同図では、上下方向に２個、管の長さ方向に３個の計６個づつの磁石を管を挟んで対称に設置しているが、磁石の数や配置は、このような構成に限られるものではなく、管を挟んで対象に設置するのであれば、任意の数の磁石を設置することが可能であり、好ましくは、管の長さ方向に沿って磁石を長く配置する。
【００２６】
また、磁力応力殺菌装置は、水や油などが流入する流入口（吸込口）や、流出する流出口、若しくはこれらの口の付近に設置することが好ましいが、流量を測定する測定器の付近など、水中の細菌やウイルスに対して影響を与えることが可能な任意の場所に設置することも可能であり、この際、好ましくは、非磁性体の部分に設置する。
【００２７】
さらには、水や油が流れる経路の複数箇所に設置することが好ましく、管の細い部分に設置することが望ましい。
【００２８】
なお、飲料水など、清潔に管理することが特に必要なものであれば、図２に示すように管外に設置することが望ましいが、足を洗浄して白癬菌を殺菌する場合など、清潔に管理することが特に必要ではない場合は、水流に磁石を直接接触させることが望ましい。この構成では、磁石と水との間の距離が短くなり、また、管などが磁石の間に存在しないため、磁石効率の損失を抑えることが可能であり、効率良く過酸化水素を生成することができる。
【００２９】
上記構成を用いて、本発明に係る磁力応用殺菌装置では、磁力応用殺菌装置の磁石の間に水や油を通過させることにより、当該水中や油中に存在する細菌やウイルスなどの殺菌を行う。
【００３０】
本発明に係る磁力応用殺菌装置では、次のような原理で水や油の浄化や殺菌を行っている。
【００３１】
まず、水や油が管を流れ、磁力応用殺菌装置の磁石によって形成されている磁界を通過すると、水や油に含まれているＮａやＫ、Ｃａ、Ｍｇなどの金属(Ｍ)が磁界を通過するため、電磁誘導によって電子(ｅ-)が発生する。
Ｍ → Ｍ+ ＋ ｅ-  （Ｍ：Ｎａ、Ｋなど）
Ｍ → Ｍ++ ＋ ２ｅ-  （Ｍ：Ｃａ、Ｍｇなど）
【００３２】
そして、水中や油中に溶け込んでいる溶存酸素と電子(ｅ-)とが反応してスーパーオキサイド・アニオン(Ｏ2-)を生成する。
Ｏ2 ＋ ｅ- → Ｏ2-
【００３３】
また、スーパーオキサイド・アニオンと、水中や油中に含まれる水分の一部が解離して発生している水素イオンとが反応して、過酸化水素(Ｈ2Ｏ2)が生成する。
Ｈ2Ｏ → Ｈ+ ＋ ＯＨ-
２Ｈ+ ＋ Ｏ2- → Ｈ2Ｏ2
【００３４】
この過酸化水素は、強力な酸化力を有するため、水中や油中の細菌やウイルスを殺菌する。なお、過酸化水素は、水中の有機物を酸化分解するため、水に含まれている汚れ（有機物）を分解することもできる。
【実施例１】
【００３５】
本実施例では、水道の蛇口に磁力応用殺菌装置を設置する。
【００３６】
この構成では、磁力応用殺菌装置が設置された管の部分を水が通過することにより、水中に過酸化水素が発生し、この過酸化水素を含む水が蛇口（流出口）から流出する。
【００３７】
このため、本実施例では、水を殺菌することが可能であり、さらに、蛇口から流出した水で野菜などの食品を洗うことにより、大腸菌などを殺菌することが出きるため、腸管出血性大腸菌Ｏ１５７などによる食中毒を防止することができる。
【００３８】
また、白癬菌などの細菌を殺菌することができるため、足などを洗うことにより、いわゆる水虫を防止をすることができる。
【実施例２】
【００３９】
本実施例では、鯉などの養殖池に水の供給や循環を行う装置の流出口に磁力応用殺菌装置を設置する。
【００４０】
この構成では、磁力応用殺菌装置が設置された部分を水が通過することにより、水中に過酸化水素が発生し、この過酸化水素を含む水が流出口から流出する。
【００４１】
このため、本実施例では、水を殺菌することが可能なため、水を循環させる際、殺菌された水を池に供給することが可能であり、さらに、池に供給された水によって、池の水に含まれる細菌やウイルスなどを殺菌することができるため、コイヘルペスウイルスを除去し、いわゆる鯉ヘルペスの発生を防止することができる。
【００４２】
なお、本実施例では、流出口に磁力応用殺菌装置を設置しているが、吸込口などの流入口に設置しても良い。
【実施例３】
【００４３】
本実施例では、食用油や工業用油、砥石油などを機器に循環供給する循環供給装置の流出口に磁力応用殺菌装置を設置する。
【００４４】
この構成では、磁力応用殺菌装置が設置された部分を油が通過することにより、油中に過酸化水素が発生する。
【００４５】
このため、本実施例では、油中に存在するバクテリアなどの殺菌を行うことが可能であり、バクテリアによる悪臭の発生抑制や除去を行うことができる。
【００４６】
なお、本実施例では、循環供給装置の流出口に磁力応用殺菌装置を設置しているが、循環させる油を貯留する油溜に設置することも可能である。
【００４７】
特に、機械油を循環させる場合などは、流出口付近にＮＣ装置などが存在し、磁力応用殺菌装置を設置することができない場合があり、ＮＣ装置などから離れた油溜に設置することが望ましい。
【図面の簡単な説明】
【００４８】
【図１】本発明に係る磁力応用殺菌装置の構成の一例を示す概略構成図
【図２】磁力応用殺菌装置を水道管や排水管などの管に設置した場合の一例を示す該略図
【符号の説明】
【００４９】
１０…磁力応用殺菌装置
１１…磁石
１２…支持部
１３…調節部
１４…第１の領域
１５…第２の領域
２０…管
【図１】
2006035034.tif 000003
【図２】
2006035034.tif 000004